【事件の表示】
　上記当事者間の登録第４４２６８９０号商標の登録取消審判事件について，次のとおり審決する。
【結　論】
　登録第４４２６８９０号商標の商標登録を取り消す。
　審判費用は，被請求人の負担とする。
【理　由】
第１　本件商標
　本件登録第４４２６８９０号商標（以下「本件商標」という。）は，別掲のとおりの構成からなり，平成１２年２月１日に登録出願，第１６類「雑誌，新聞，書籍，その他の印刷物，洋紙，加工紙，紙製包装用容器，家庭用食品包装フィルム，紙製ハンカチ，紙製テーブルクロス，紙製旗，紙製幼児用おしめ，荷札，書画，写真，写真立て，かるた，トランプ，紙製文房具，筆記用具，その他の文房具類，昆虫採集用具，事務用又は家庭用ののり及び接着剤，製図用具，観賞魚用水槽及びその附属品」を指定商品として，同年９月５日に登録査定，同年１０月２０に設定登録されたものである。
　そして，本件審判の請求の登録は，平成３０年１０月３１日になされた（以下，当該登録３年以内を「要証期間」という）。
第２　請求人の主張
　請求人は，結論同旨の審決を求め，その理由を要旨以下のように述べ，証拠方法として甲第１号証ないし甲第４号証（枝番号を含む。）を提出した。
１　請求の理由
　本件商標は，その指定商品について，継続して３年以上日本国内において商標権者，専用使用権者又は通常使用権者のいずれも使用した事実が存しないことから，その登録は商標法第５０条第１項の規定により取り消されるべきものである。
２　答弁に対する弁駁
（１）本件商標の使用について
　被請求人は，本件商標と同一又は社会通念上同一と認められる商標（以下「本件使用標章」という。）を，当該指定商品中少なくとも，第１６類「雑誌，書籍，その他の印刷物」について，要証期間内に日本国内において使用している旨主張し，その根拠として乙第１号証及び乙第２号証を提出している。
　しかしながら，被請求人が本件使用標章を使用したと主張する乙第１号証の１及び２のカタログは商標法上の「商品」には該当しないうえ，当該カタログにおいて本件使用標章が掲載された位置・態様等からすると，「商標の使用」（商標法第２条第３項第１号が規定する「商品又は商品の包装に標章を付する行為」）にも該当しないことから，被請求人の主張する本件使用標章の使用は，商標法第５０条に定める「登録商標の使用」には該当しない。
　さらに，被請求人の提出した証拠はいずれも信用性に欠けるものであり，そもそも，要証期間内における本件商標の使用を証明でき得るものではない。
（２）商標法上の「商品」該当性について
　被請求人は，本件使用標章が「雑誌，書籍，その他の印刷物」に使用されていることを証明するものとして，乙第１号証の１及び２のカタログ「Ｌｉｆｅ　Ｓｔｙｌｅ　Ｍｕｓｉｃ／癒し情報カタログ／２０１８／春夏号」を提出している。
　そして，被請求人は，当該カタログは，被請求人の商品の宣伝に限らず，健康に関する情報や，その他の様々な情報を掲載していることから，単なる商品カタログではなく反復して流通する商品である旨主張する。
　商標法第５０条における登録商標の使用は，登録商標に係る指定商品又は指定役務について，商標として，すなわち，自他商品識別標識として使用される必要があり，同条の適用上，「商品」というためには，市場において独立して商取引の対象として流通に供される物でなければならない（東京高判平成１３年２月２８日（平成１２年（行ケ）第１０９号）参照）。
　この点，乙第１号証の１及び２のカタログは，以下に述べるとおり，被請求人の商品・サービスの宣伝を目的とするものにすぎず，商標法上の「商品」に該当するものではない。
　ア　乙第１号証の１及び２のカタログには，定価はなく，当該カタログは無償で提供されるものである。
　このことは，被請求人のウェブサイトにおいて，「カタログをご希望のお客様にカタログを無料で進呈させていただきます。」と記載されていることから明らかである（甲２）。
　イ　乙第１号証の１及び２のカタログでは，被請求人の商品である音楽コンパクトディスク（以下「音楽ＣＤ」という。）が「Ｎｅｗ　Ｒｅｌｅａｓｅ」，「ポップス・コレクション」，「心やすらぐ・クラシック」，「Ｄｅｌｌａ２０１７年度ＣＤ売上ランキング」等，カテゴリの別に紹介され，各音楽ＣＤの題名，価格，商品コードなどの情報が掲載されている。
　「疲労のメカニズムを知ろう」，「『睡眠負債』を抱える日本人」，「赤ちゃんのための『音育』講座」といった記事には，それぞれのトピックに関するおすすめの音楽ＣＤとして，被請求人の商品の題名，価格，商品コード等が紹介されている。
　これらの内容からすれば，被請求人が主張する「健康に関する記事，その他の様々な情報」も，健康等の情報を伝えることのみを目的としたものではなく，結局，被請求人の商品を紹介，宣伝等することを目的としたものにすぎない（ちなみに，乙第１号証の１及び２のカタログには，被請求人が扱う商品としての「印刷物」は掲載されていない。）。
　以上より，乙第１号証の１及び２のカタログは，被請求人の商品を顧客に販売するための広告宣伝を目的としたものであって，被請求人の管理を離れ，市場において独立して商取引の対象として流通に供されているものではなく，商標法上の商品に該当しないことは明らかである。
（３）「商標の使用」の該当性について
　被請求人は，本件使用標章の掲載位置について，表裏表紙に該当する部分ではないが，出願人（被請求人）の情報が掲載されている，いわば奥付に準ずる部分に付されているものであるから，当該印刷物との関係では，それなりに出所機能を発揮しており，商標法第２条第３項第１号の使用に該当する旨主張する。
　しかしながら，本件使用標章が付された箇所は，全２７ページのカタログの２２ページ目に掲載された，『Ｈｅａｌｉｎｇ　Ｐｌａｚａ』（被請求人の直営公式ショップとのことである。）の宣伝ページの下部のメールマガジンの登録案内が記載された箇所の枠内に小さく挿絵として入れられているものにすぎず，通常の書籍や雑誌における印刷物の奥付（「書名・著者・発行者・印刷者・出版年月日・定価などを記した部分」）に準ずる部分とは到底いい得ないものである。
　したがって，本件使用標章の使用は，本件商標に係る商品「雑誌，書籍，その他の印刷物」について，その出所を表示し，自他商品を識別する標識として使用されているものとは認められないから，被請求人の主張する使用の事実によって，本件商標と同一又は社会通念上同一の商標がその指定商品について要証期間内に日本国内で使用されたということはできない。
（４）被請求人の提出した証拠について
　上記のとおり，被請求人の主張する使用の事実によって，本件商標と同一又は社会通念上同一の商標がその指定商品について要証期間内に日本国内で使用されたと認めることはできないものであるが，被請求人の提出した証拠は，そもそも要証期間内における日本国内での本件商標と同一又は社会通念上同一の商標の使用を立証し得るものではないことから，念のためその点について主張する。
　まず，乙第２号証の納品書について，被請求人は，これを，乙第１号証の１及び２のカタログである，２０１８年（平成３０年）４月２６日「Ｌｉｆｅ　Ｓｔｙｌｅ　Ｍｕｓｉｃ／癒し情報カタログ／２０１８／春夏号」の納品書であると述べるが，当該納品書の「商品名」欄には「総合カタログ２０１８〜２０１９用（春夏）」としか記載されておらず，この記載からはその対象が乙第１号証の１及び２のカタログであるかは明らかではない。
　その点はおくとしても，乙第１号証の１及び２は，以下に述べるとおり，極めて不自然なものであり，信用性が欠けるものといわざるを得ない。
　すなわち，請求人が，被請求人のウェブサイト上のカタログ申込ページを通じて乙第１号証の１及び２のカタログと同一のカタログ「Ｌｉｆｅ　Ｓｔｙｌｅ　Ｍｕｓｉｃ／癒し情報カタログ／２０１８／春夏号」（甲３の１）を入手したところ，当該カタログの「Ｈｅａｌｉｎｇ　Ｐｌａｚａ」の宣伝ページ（２２ページ目）下部の本件使用標章の掲載箇所には異なる図柄が掲載されていた（甲３の２）。しかも，かかる小さな図柄と，図柄が異なることによるレイアウトが若干異なるほかは，全てのページの記載内容が，乙第１号証の１のカタログのものと同一であった。当該カタログの「Ｈｅａｌｉｎｇ　Ｐｌａｚａ」の宣伝ページは，その性質上同じ内容のものを繰り返し掲載することが多いと思われるところ，同じ春夏号で，当該箇所のみを変えた複数のバージョンのカタログを作成するということは，通常考え難い。
　なお，請求人が，上記カタログ申込ページから「Ｌｉｆｅ　Ｓｔｙｌｅ　Ｍｕｓｉｃ／癒し情報カタログ／２０１８／秋冬号」（甲４の１）も入手したところ，同号における「Ｈｅａｌｉｎｇ　Ｐｌａｚａ」の宣伝ページ（２２ページ目）も，下部のメールマガジンの登録案内における図柄を含め，甲第３号証の２の春夏号のカタログにおけるものと全く同一の記載であった（甲４の２）。
　このことからも，乙第１号証の１及び２において被請求人が「本件使用標章を使用していた」と主張する箇所の記載は極めて不自然といわざるを得ず，乙第１号証の１及び２は証拠としての信用性は認められないものである。
　したがって，これを根拠とする被請求人の主張も不合理である。
（５）結諭
　以上のとおり，被請求人が提出したいずれの証拠によっても，被請求人による要証期間内の日本国内における本件商標と同一又は社会通念上同一の商標の指定商品についての使用は立証できておらず，本件商標は商標法第５０条第１項の規定により取り消されるべきである。
第３　被請求人の答弁
　被請求人は，本件審判の請求は成り立たない，審判費用は請求人の負担とする，との審決を求め，その理由を要旨次のように述べ，証拠方法として，乙第１号証及び乙第２号証（枝番号を含む。）を提出した。
１　本件商標の使用について
　本件商標権者は，本件商標と同一，若しくは，社会通念上同一と認められる商標を，当該指定商品中，少なくとも，第１６類「雑誌，書籍，その他の印刷物」について，要証期間内に日本国内において使用している。
　雑誌，書籍，その他の印刷物（乙１〜乙２）により使用の事実を証明する。
（１）「Ｌｉｆｅ　Ｓｔｙｌｅ　Ｍｕｓｉｃ／癒し情報カタログ／２０１８／春夏号」に登録商標を付している状態を示す写真（乙１）。
（２）２０１８年（平成３０年）４月２６日「Ｌｉｆｅ　Ｓｔｙｌｅ　Ｍｕｓｉｃ／癒し情報カタログ／２０１８／春夏号」の納品書（写）（乙２）。
　これらは，本件商標の使用に関し，実際の取引があったことを証する書類である。
２　本件商標の使用態様について
　本件商標権者は，本件商標と同一の商標，及び，社会通念上同一と認められる商標をその指定商品に使用している。その掲載位置は，表裏表紙に該当する部分ではないが，本件商標権者の情報が掲載されている，いわば奥付に準ずる部分に付されているものであるから，当該印刷物との関係では，それなりに出所機能を発揮しており商標法第２条第３項第１号の使用に該当するものである。
　また，「Ｌｉｆｅ　Ｓｔｙｌｅ　Ｍｕｓｉｃ／癒し情報カタログ／２０１８／春夏号」は，被請求人の商品の宣伝に限らず，健康に関する情報や，その他の様々な情報を掲載していることから，単なる商品カタログではなく反復して流通する商品である。
３　むすび
　よって，少なくとも，第１６類「雑誌，書籍，その他の印刷物」については，本件商標権者が継続して３年以上日本国内において本件商標の使用をしていることから，本件商標は取消されるものではない。
第４　当審の判断
１　証拠及び当事者の主張によれば，以下のとおりである。
（１）「Ｌｉｆｅ　Ｓｔｙｌｅ　Ｍｕｓｉｃ／癒し情報カタログ／２０１８／春夏号」（乙１の１）について
　当該癒し情報カタログ（乙１の１）には，「Ｎｅｗ　Ｒｅｌｅａｓｅ」，「ポップス・コレクション」，「心やすらぐ・クラシック」，「Ｄｅｌｌａ２０１７年度ＣＤ売上ランキング」の項に音楽ＣＤが紹介され，各音楽ＣＤの題名，価格，商品コードなどの情報が掲載されている。そして，当該カタログの２２ページ（抜粋，乙１の２）の右下には，メールマガジンを登録するＱＲコードの右横に，犬と思しき動物が直立した図形と「ＤＥＬＬＹ」の文字が表示されている。しかしながら，当該癒し情報カタログの発行日は明らかでなく，定価の記載もない。また，頒布時期，頒布数，頒布方法及び頒布地域も不明である。
（２）請求人が入手した「Ｌｉｆｅ　Ｓｔｙｌｅ　Ｍｕｓｉｃ／癒し情報カタログ／２０１８／春夏号」（甲３の１）について
　請求人が被請求人のウェブサイトにおいて，無料のカタログを申し込んだ「Ｌｉｆｅ　Ｓｔｙｌｅ　Ｍｕｓｉｃ／癒し情報カタログ／２０１８／春夏号」（甲３の１）には，上記（１）の癒し情報カタログと同一の内容の音楽ＣＤが紹介されているが，当該カタログの２２ページ（抜粋，甲３の２）の右下には，メールマガジンを登録するＱＲコードの右横に，犬と思しき動物が左手を挙げている図形が表示されている。
（３）納品書（乙２）について
　株式会社博多印刷が平成３０年４月２６日に本件商標権者宛てに発行した納品書（乙２）には，商品名として「総合カタログ２０１８〜２０１９用（春夏）」，数量として「５０，０００」冊の記載がある。
２　判断
（１）癒し情報カタログについて
　上記１（１）によれば，癒し情報カタログ（乙１）は，音楽ＣＤの題名，価格，商品コードなど音楽ＣＤを紹介したものである。
　しかしながら，商標法における「商品」とは商取引の目的物として流通性のあるもの，すなわち，一般市場で流通に供されることを目的として生産され又は取引される有体物であると解すべきところ，請求人が被請求人のウェブサイトにおいて，癒し情報カタログ（乙１）と同じカタログ（２２ページの犬と思しき動物図形を除く。甲３）を無料で入手できたことを考慮すると，当該癒し情報カタログは，本件商標権者が取り扱う商品を顧客に販売するための広告宣伝を目的として無料で顧客等に引き渡されたというのが相当であるから，一般市場で流通に供されることを目的に生産された有体物であるとはいえないため，商標法上の「商品」と認めることはできない。
　また，当該カタログの２２ページ（乙１）には，メールマガジンを登録するＱＲコードの右横に，犬と思しき動物が直立した図形と「ＤＥＬＬＹ」の文字が表示され，被請求人は奥付に準ずる部分に付されているものである旨主張するが，通常印刷物の奥付にある「書名・著者・発行者・印刷者・出版年月日・定価」等の情報は一切記載がないことから，メールマガジンを登録する部分は，印刷物の奥付に準ずる部分とみることはできず，むしろ，当該動物図形はメールマガジンの登録案内におけるキャラクター（標章）と捉えられることから，これが当該カタログの出所識別標識として機能を果たす部分とは認めることはできない。
（２）納品書について
　納品書（乙２）に記載の「総合カタログ２０１８〜２０１９用（春夏）」と「Ｌｉｆｅ　Ｓｔｙｌｅ　Ｍｕｓｉｃ／癒し情報カタログ／２０１８／春夏号」（乙１）を関連付ける証拠はないため，納品書に記載されている商品と当該癒し情報カタログが同一のものであるかが不明である。
（３）小括
　以上のとおり，癒し情報カタログ（乙１）は，商標法上の「商品」と認めることはできないし，当該カタログに記載された犬と思しき動物が直立した図形と「ＤＥＬＬＹ」の文字は，当該カタログの出所識別標識として機能を果たす部分と認めることもできない。
　したがって，被請求人が提出した証拠によっては，要証期間内に，本件商標権者が，本件審判の請求に係る指定商品について本件商標の使用したことを認めるに足る事実を見いだせない。
３　まとめ
　以上のとおりであるから，被請求人は，要証期間内に日本国内において，商標権者，専用使用権者又は通常使用権者のいずれかがその請求に係る指定商品のいずれかについての本件商標の使用をしていた事実を証明したものとは認められない。
　また，被請求人は，本件審判の請求に係る指定商品について，本件商標の使用をしていないことについて正当な理由があることも明らかにしていない。
　したがって，本件商標の登録は，商標法第５０条の規定により，取り消すべきものである。
　よって，結論のとおり審決する。